(57)【要約】端子台装置（１）は、内部へ電線の挿入を許容する開口（１２）を覆う端子カバー（２０）をスライド自在に保持する一対のレール部（１３ａ〜１３ｄ）を有する端子台（１０）と、端子カバー（２０）と、を備える。一対のレール部（１３ａ〜１３ｄ）は、一対の上部レール（１３ａ及び１３ｂ）及び一対の下部レール部（１２ｃ及び１３ｄ）として端子カバー（３０）のスライド方向に分割されている。端子カバー（２０）は、一対の下部レール部（１３ｃ及び１３ｄ）に保持される状態で一対の上部レール（１３ａ及び１３ｂ）のうちの一方に対応する部位に、当該上部レール（１３及び１３ｂ）の一方よりも大きな第１切欠き（２１）を有する。
2019239506.tif 000002
【特許請求の範囲】
【請求項１】
内部へ電線の挿入を許容する開口を覆うカバーをスライド自在に保持する一対のレール部を有する端子台と、前記カバーと、を備え、
前記一対のレール部は、少なくとも一方が第１レール部及び第２レール部として前記カバーのスライド方向に沿って分割されており、
前記カバーは、当該カバーが前記第２レール部に保持される状態で、前記第１レール部に対応する部位に、第１切欠きを有することで前記第１レール部との係合を開放する
ことを特徴とする端子台装置。
【請求項２】
前記開口の前記スライド方向の長さに対する前記第１レール部の前記スライド方向の長さ及び前記第２レール部の前記スライド方向の長さを加えた長さの第１比率が「０．３０」〜「０．８０」に設定されている
請求項１に記載の端子台装置。
【請求項３】
前記第１レール部の前記スライド方向の長さに対する前記第２レール部の前記スライド方向の長さの第２比率が「０．３０」〜「１．００」に設定されている
請求項２に記載の端子台装置。
【請求項４】
前記第１レール部は、前記カバーが前記第２レール部に保持される状態から抜け出ることを防止するストッパを有する
請求項１〜３のいずれか一項に記載の端子台装置。
【請求項５】
前記カバーは、当該カバーが前記第１レール部によって保持される状態で、前記ストッパに対応する部位に、第２切欠きを有することで位置決めされる
請求項４に記載の端子台装置。
【請求項６】
前記カバーは、円弧状の第３切欠きを有することで前記電線の前記内部への挿入を許容する
請求項２〜５のいずれか一項に記載の端子台装置。
【請求項７】
前記カバーは、当該カバーが前記第２レール部に保持される状態で、前記第１レール部に保持される第一係止爪を前記第１切欠きに有する
請求項１に記載の端子台装置。
【発明の詳細な説明】
【技術分野】
【０００１】
本発明は、例えば中継装置、分岐装置、インバータ装置等に用いられる端子台装置に関する。
【背景技術】
【０００２】
従来、この種の従来技術として、例えば特許文献１に記載の端子台装置が知られている。この端子台装置は、レール上に配置された一組の保持板と、この一組の保持板の間のレール上に配置された複数の端子と、長方形状に形成され複数の端子を覆うように一組の保持板に装着される平板状の端子カバーとを備える。一組の保持板の互いに対向する面には、端子カバーの短手方向の端部が収容される直線状の収容溝と、保持板の側面に開口して差込口を構成するとともに装着溝に連なる円弧状の案内溝と、差込口に形成されるストッパとが設けられている。そして、端子カバーが短手方向の一端から差込口から差し込まれると、当該端子カバーは案内溝の形状に倣って変形して案内され収容溝に収容される。収容溝に収容された端子カバーは、変形する前の平板状に戻り、短手方向の他端がストッパに接することにより、端子カバーが収容溝から抜け出すことを防止できる。
【先行技術文献】
【特許文献】
【０００３】
【特許文献１】実開平１−６３０７５
【発明の概要】
【発明が解決しようとする課題】
【０００４】
従来の端子台装置では、端子カバーを差込口から差し込むだけで装着できるため、端子カバーを容易に取り付けることはできる。しかしながら、例えば端子に電線を接続する接続作業時や保守点検作業時等、端子カバーを端子台から外す必要がある場合、収容溝に収容された端子カバーの短手方向の他端を変形させてストッパから外し、案内溝に沿って短手方向にスライドさせて取り外す必要があり、手間及び時間を要する。【０００５】
特に、一組の保持板の間隔が長い場合、作業者が片手で端子カバーを端子台から外そうとして、端子カバーの長手方向の中央部を撓ませたとしても、端子カバーは長手方向の端部まで撓まないためストッパから外れない。そのため、作業者は、両手で端子カバーの長手方向の両端部を撓ませてストッパから取り外さなければならないため、やはり、手間及び時間を要する。【０００６】
本発明は、上記に鑑みてなされたものであって、カバーを容易に取り外すことのできる端子台装置を提供することを目的とする。
【課題を解決するための手段】
【０００７】
上述した課題を解決し、目的を達成するために、本発明の端子台装置は、内部へ電線の挿入を許容する開口を覆うカバーをスライド自在に保持する一対のレール部を有する端子台と、カバーと、を備え、一対のレール部は、少なくとも一方が第１レール部及び第２レール部としてカバーのスライド方向に沿って分割されており、カバーは、当該カバーが前記第２レール部に保持される状態で、前記第１レール部に対応する部位に、第１切欠きを有することで第１レール部との係合を開放することとした。
【発明の効果】
【０００８】
本発明によれば、カバーは、当該カバーが第２レール部に保持される状態で、第１レール部に対応する部位に、第１切欠きを有することで第１レール部との係合が開放されているため、カバーをスライドさせなくても端子台から取り外すことができるようになり、カバーを容易に外すことがことができる。
【図面の簡単な説明】
【０００９】
【図１】本発明に係る端子台装置の実施形態１の斜視図。
【図２】実施形態１を構成する端子台に端子カバーが装着された状態を示す正面図。
【図３】実施形態１を構成する端子カバーの斜視図。
【図４】実施形態１について端子カバーの端子台への装着手順を示す断面図。
【図５】実施形態１について端子カバーの端子台への装着手順を示す断面図。
【図６】実施形態１について端子カバーの端子台への装着手順を示す断面図。
【図７】実施形態１について端子台から端子カバーを取り外す手順を示す斜視図。
【図８】実施形態１について端子台から端子カバーを取り外す手順を示す斜視図。
【図９】実施形態１について端子台から端子カバーを取り外す手順を示す斜視図。
【図１０】本発明に係る端子台装置の実施形態２において、端子台の内部の端子に電線が接続された状態を示す斜視図。
【図１１】実施形態２において、端子台の内部の端子に電線が接続されていない場合の端子カバーの装着状態を示す正面図。
【図１２】実施形態２において、端子台の内部の端子に電線が接続されている場合の端子カバーの装着状態を示す正面図。
【図１３】実施形態２を構成する端子カバーの斜視図。
【図１４】実施形態２について端子カバーの端子台への装着手順を示す斜視図。
【図１５】実施形態２について端子カバーの端子台への装着手順を示す斜視図。
【図１６】実施形態２について端子台から端子カバーを取り外す手順を示す斜視図。
【図１７】実施形態２について端子台から端子カバーを取り外す手順を示す斜視図。
【図１８】本発明に係る端子台装置の実施形態３について、端子台に端子カバーが装着された状態を示す正面図。
【図１９】実施形態３を構成する端子カバーの斜視図。
【発明を実施するための形態】
【００１０】
以下、本発明に係る端子台装置の実施形態について、図面に基づいて詳細に説明する。本発明に係る端子台装置は、例えば中継装置、分岐装置、インバータ装置等に適用される。例えばインバータ装置に適用される場合、複数の端子台装置が配置されて構成される。すべての端子台装置に対して内部の端子に電線が接続された状態でインバータ装置が使用される場合もあるが、一部の端子台装置には電線が接続され、一部の端子台装置には電線が接続されない状態にて、インバータ装置が使用される場合もあり、この場合、電線が接続されていない端子台装置であっても、内部の端子には高電圧が印加されることになる。そのため、端子台の開口を端子カバーにて覆うことにより、作業者等が誤って内部の端子に指で触れてしまうことが無いようにしている。以下、本発明に係る端子台装置の実施形態について説明するが、本発明は、以下で説明する実施形態に限定されるものではない。
【００１１】
実施形態１．
図１は、本発明に係る端子台装置の実施形態１の分解斜視図であり、図２は、実施形態１の端子台装置１の正面図である。なお、以下の説明では、上方向及び下方向（以下、まとめて上下方向とも言う）、前方向及び後方向（以下、まとめて前後方向とも言う）、並びに左方向及び右方向（以下、まとめて左右方向とも言う）を、互いに直交する方向として定義する。すなわち、端子台装置１の上側及び下側をそれぞれ上方向及び下方向とし、端子カバー２０の装着側及びその反対側をそれぞれ前方向及び後方向とし、端子台１０の開口１２に向かって右側及び左側をそれぞれ右方向及び左方向として、定義する。
【００１２】
図１及び図２に示すように、端子台装置１は、端子台１０と、端子カバー２０と、固定ネジ３０と、を備えて構成されている。まず、端子台１０の構成について説明する。端子台１０は、当該端子台１０の内部に設けられ、図示しない電線が接続される１つの端子１１と、電線の当該端子台１０の内部への挿入を許容する開口１２と、開口１２を覆う１つの端子カバー２０を上下方向にスライド自在に保持する一対の上部レール部１３ａ及び１３ｂ並びに一対の下部レール部１３ｃ及び１３ｄと、端子カバー２０を当該端子台１０に固定する固定ネジ３０が締結されるネジ孔１４と、を有する。端子台１０は、図１に示す形状、すなわちほぼ箱状に形成されている。
【００１３】
端子１１は、端子台１０内の内部に形成されており、図１では図示しない電線が接続される。開口１２は、端子台１０の前方向の面である前面に、電線の端子台１０の内部への挿入を許容する大きさで、上下方向を長辺とし左右方向を短辺とした、ほぼ長方形状に形成されている。電線は、開口１２を介して端子台１０内に挿入され、端子１１と接続される。一対の上部レール部１３ａ及び１３ｂは、端子台１０を前方向（すなわち正面）から見て、開口１２の右上方の縁部及び開口１２の左上方の縁部にそれぞれ形成されている。また、一対の下部レール部１３ｃ及び１３ｄは、端子台１０を前方向（すなわち正面）から見て、開口１２の右下方の縁部及び開口１２の左下方の縁部にそれぞれ形成されている。これら上部レール部１３ａ及びレール部１３ｂ、並びに、下部レール部１３ｃ及びレール部１３ｄは、それぞれ左右対象に形成されており、端子カバー２０を上下方向にスライド自在に保持する。なお、一対の上部レール部１３ａ及び１３ｂ、並びに、一対の下部レール部１３ｃ及び１３ｄの構造及び機能については、図４〜図９等も併せ参照して、後述する。開口１２の上方中央にはネジ孔１４が形成されており、このネジ孔１４は、端子カバー２０が、一対の上部レール部１３ａ及び１３ｂ、並びに、一対の下部レール部１３ｃ及び１３ｄに収容された状態で、端子カバー２０に形成されたネジ孔２２（図１及び図２では図示略）と対向する位置に形成されている。これらネジ孔１４及びネジ孔２２に固定ネジ３０を挿入し締結することにより、端子台１０に端子カバー２０を装着することができる。ちなみに、一対の上部レール部１３ａ及び１３ｂ、並びに、一対の下部レール部１３ｃ及び１３ｄが、請求の範囲に記載した、第１レール部、並びに、第２レール部に、それぞれ相当する。また、上下方向が請求の範囲に記載した、スライド方向に相当する。
【００１４】
図３は、実施形態１の端子台装置１を構成する端子カバー２０の斜視図である。端子カバー２０は、例えば樹脂材料等にて、上下方向を長辺（例えば「６５．５ｍｍ」）とし左右方向を短辺（例えば「３２．０ｍｍ」）としたほぼ長方形状に形成されている。また、端子カバー２０は、左右方向のほぼ中央であって上下方向の中央よりも上方の位置にネジ孔２２を有する。なお、図３では、固定ネジ３０がネジ孔２２に挿入された状態を図示しているため、図３ではネジ孔２２の図示が省略されている。また、端子カバー２０は、右上方、左上方、右下方、左下方の四隅のうち、右上方の隅に、切欠き２１を有する。当該切欠き２１の左右方向の長さＬ１（例えば「２．３ｍｍ」）は、上部レール部１３ａ及び１３ｂの左右方向の長さｌ１（例えば「２．０ｍｍ」）よりも僅かに長く設定されており、切欠き２１の上下方向の長さＬ２（例えば「２２．０ｍｍ」）は、上部レール部１３ａ及び１３ｂの上下方向の長さｌ２（例えば「１７．０ｍｍ」）よりも長く設定されている。なお、切欠き２１が請求の範囲の第１切欠きに相当する。
【００１５】
図４〜図６は、図２におけるＡ−Ａ線にて端子台装置１を切断した場合の断面図であり、端子カバー２０を端子台１０に収容及び装着する手順をこの順に示した図である。また、図７〜図９は、端子カバー２０が端子台１０に装着された状態から当該端子カバー２０を端子台１０から取り外す手順をこの順に示した斜視図である。これら図４〜図９を併せ参照しつつ、端子台１０及び端子カバー２０の詳細な構造、端子台１０に端子カバー２０を装着する手順、及び端子台１０から端子カバー２０を取り外す手順について説明する。
【００１６】
上部レール部１３ａは、前方向側に形成される前面部１３ａ１と、当該前面部１３ａ１よりも後方向側に形成される背面部１３ａ２とを有する。これら前面部１３ａ１と背面部１３ａ２との間には前後方向に隙間が形成されており、当該隙間は、端子カバー２０の厚みに所定のクリアランスを持たせた寸法に設定されてレールを構成しており、端子カバー２０を上下方向にスライド自在に保持する。また、前面部１３ａ１の上方向の部位にはテーパ１５ａが形成されており、背面部１３ａ２の上方向の部位には前方向に突出した凸部であるストッパ１６ａが形成されている。そして、これら前面部１３ａ１のテーパ１５ａ及び背面部１３ａ２のストッパ１６ａによって、端子カバー２０の下方向の端部である一端部２６の上部レール部１３ａへの挿入を許容する挿入口１８が構成されている。なお、図４〜図６では、上部レール部１３ｂの図示を省略しているが、上部レール部１３ｂは、上部レール部１３ａと左右対称の形状にて形成されているため、同様に、前面部及び背面部を有して構成されている。
【００１７】
下部レール部１３ｃは、前方向側に形成される前面部１３ｃ１と、当該前面部１３ｃ１よりも後方向側に形成される背面部１３ｃ２と、これら前面部１３ｃ１及び背面部１３ｃ２との間を繋ぐ底部１３ｃ３とを有する。これら前面部１３ｃ１と背面部１３ｃ２との間には、前後方向に隙間が形成されており、当該隙間は、端子カバー２０の厚みに所定のクリアランスを持たせた寸法に設定されてレールを構成しており、端子カバー２０を上下方向にスライド自在に保持する。また、前面部１３ａ１の上方向の部位にはテーパ１７ｃが形成されており、背面部１３ｃ２の上方向の部位は後方向側へ屈曲した形状に形成されている。そして、これら前面部１３ｃ１のテーパ１７ｃと背面部１３ｃ２の屈曲部によって、端子カバー２０の一端部２６の下部レール部１３ｃへの挿入を許容する挿入口１９が構成されている。上部レール部１３ａ及び１３ｂ並びに下部レール部１３ｃ及び１３ｄに挿入された端子カバー２０の一端部２６が底部１３ｃ３と接触することにより、端子カバー２０は、位置決めされ、収容されることになる。なお、図４〜図６では、下部レール部１３ｄの図示を省略しているが、下部レール部１３ｄは、下部レール部１３ｃと左右対称の形状にて形成されているため、同様に、前面部及び背面部を有して構成されている。
【００１８】
ここで、開口１２及びレール部の寸法の一例をまとめて記載する。開口１２の長辺は、上部レール部１３ａの前面部１３ａ１の上端から下部レール部１３ｃの底部１３ｃ３の上端までであり、およそ「６１ｍｍ」に形成されている。上部レール部１３ａの前面部１３ａ１の上下方向の長さは、およそ「１７ｍｍ」に形成されており、下部レール部１３ｃの前面部１３ａ１の上端から底部１３ｃの上端までの長さは、およそ「８ｍｍ」に形成されている。すなわち、上部レール部１３ａの下端と下部レール部１３ｃの上端との間（およそ「３６ｍｍ」）には、レール部は設けられておらず、開口１２の上下方向の長さに対する上部レール部及び下部レール部の上下方向の長さは、およそ「０．４１」となっている。また、上部レール部１３ａの前面部１３ａ１の上下方向の長さに対する、下部レール部１３ｃの前面部１３ａ１の上端から底部１３ｃの上端までの長さの比率は、およそ「０．５」となっている。また、開口１２の短辺は、上部レール部１３ａの右端から上部レール部１３ｂの左端までであり、およそ「３３ｍｍ」に形成されている。上部レール部１３ａの前面部１３ａ１の左右方向の長さ、及び、上部レール部１３ｂの前面部１３ｂ１の左右方向の長さは、それぞれ、およそ「２ｍｍ」に形成されている。すなわち、上部レール部１３ａの左端から上部レール部１３ｂの右端との間は、およそ「２９ｍｍ」に形成されている。
【００１９】
以上のように構成された端子台１０に端子カバー２０を装着する手順を説明する。なお、上述したように、図４〜図６は、上部レール部１３ｂ及び下部レール部１３ｄの図示を省略しているため、以下の手順においても省略して説明する。まず、図４に示すように、端子カバー２０のネジ孔２２に固定ネジ３０を仮止めしておき、端子カバー２０を一端部２６から挿入口１８に挿入する。このとき、ストッパ１６ａが前方向に突出しているため、端子台１０の上方のわずかに前方から端子カバー２０を挿入口１８に挿入する。挿入する際、端子カバー２０の一端部２６が上部レール部１３ａの前面部１３ａ１のテーパ１５ａに接触し、これらテーパ１５ａに案内されて、端子カバー２０は撓みながら上部レール部１３ａに挿入される。
【００２０】
次に、図５に示すように、端子カバー２０を上部レール部１３ａに押し込むことで下方にスライドさせる。このとき、端子カバー２０の上部レール部１３ａを通過した部位は、弾性によって上下方向にほぼまっすぐな状態に復帰する。端子カバー２０を上部レール部１３ａにさらに押し込むと、一端部２６が挿入口１９より下部レール部１３ｃに挿入され、底部１３ｃ３に接触するまで押し込まれ、端子カバー２０が上部レール部１３ａ並びに下部レール部１３ｃに収容されることとなる。なお、端子カバー２０の上部レール部１３ａを通過した部位は、弾性によって上下方向にほぼまっすぐな状態に復帰するものの、完全にまっすぐな状態に復帰しない場合もあり、一端部２６が前後方向にずれることがある。しかしながら、一端部２６が前方向にずれた場合には、前面部１３ｃ１のテーパ１７ｃに接触し案内されることになり、一端部２６が後方向にずれた場合には、上方向の部位が後方向側へ屈曲した形状を有する背面部１３ｃ２と接触し案内されることになるため、端子カバー２０は一端部２６が底部１３ｃ３に接触するまで押し込まれ、端子カバー２０が上部レール部１３ａ並びに下部レール部１３ｃに収容されることとなる。このように、下部レール部１３ｃがテーパ１７ｃ及び後方向側への屈曲形状を有することにより、端子カバー２０のレール挿入時の前後方向の位置ずれを吸収することができる。
【００２１】
端子カバー２０が、上部レール部１３ａ並びに下部レール部１３ｃに収容されると、ネジ孔２２に仮止めされた固定ネジ３０の先端は、端子台１０に形成されたネジ孔１４と対向する。そのため、図６に示すように、固定ネジ３０を締結することにより、端子カバー２０は、端子台１０に装着されることとなる。なお、便宜上、端子カバー２０が上部レール部１３ａ並びに下部レール部１３ｃに収容されると記載したが、上述したように、端子カバー２０は、上部レール部１３ａの大きさよりも大きい切欠き２１を右上方に有するため、上部レール部１３ａによって保持されない。また、図示の関係上、上部レール部１３ｂ及び下部レール部１３ｄについての説明を省略した。しかしながら、実際には、上部レール部１３ａ及び下部レール部１３ｃと同様に作用する。そのため、端子カバー２０は、上部レール部１３ｂ、下部レール部１３ｃ、及び下部レール部１３ｄによって保持される、いわゆる３点止めの状態となる。また、端子カバー２０が上部レール部１３ｂ、下部レール部１３ｃ、及び１３ｄに収容されると、当該端子カバー２０はその弾性によってまっすぐな状態に復帰する。上部レール部１３ｂにはストッパ１６ｂが形成されているため、端子カバー２０は、上部レール部１３ｂ、下部レール部１３ｃ、及び下部レール部１３ｄから抜けることを防止することができる。なお、本実施形態では、端子カバー２０のネジ孔２２に予め固定ネジ３０を仮止めした上で端子カバー２０を一端部２６から挿入口１８に挿入していたが、この手順に限らない。端子カバー２０を、上部レール部１３ｂ、下部レール部１３ｃ、及び下部レール部１３ｄによって保持される、いわゆる３点止めの状態にしてから、固定ネジ３０を端子カバー２０のネジ孔２２に挿入し端子台１０のネジ孔１４に締結してもよい。
【００２２】
次に、端子台１０に装着された端子カバー２０を取り外す手順を説明する。端子台１０に装着された端子カバー２０を取り外すにあっては、まず、固定ネジ３０を取り外す。固定ネジ３０を取り外した後、図７に示すように、端子カバー２０の上方向の端部である他端部２７のうち左右方向においてほぼ中央の部位を前方向に引く。なお、端子カバー２０が有する弾性の大きさにもよるが、他端部２７のうち左右方向において中央よりも右側、すなわち上部レール部１３ａ側の部位を前方向に引くことが望ましい。
【００２３】
端子カバー２０の他端部２７の中央の部位が前方向にひかれると、端子カバー２０の上部レール部１３ｂに保持されていた部分、すなわち左上方の隅部が撓み、上部レール部１３ｂから外れる。一方、端子カバー２０の右上方の隅部は、上部レール部１３ａよりも大きな切欠き２１が形成されているため、上部レール部１３ａにそもそも保持されていない。そのため、図８に示すように、端子カバー２０の上下方向の中央より上方の部位が前方向に撓むこととなる。そして、端子カバー２０の一端部２６のうち下部レール部１３ｃ及び１３ｄに保持されていた部分、すなわち右上方の隅部及び左下方の隅部が、前方向に撓み、下部レール部１３ｃ及び１３ｄから外れることとなる。その結果、図９に示すように、端子カバー２０は端子台１０から取り外される。
【００２４】
端子カバー２０の他端部２７の中央の部位を前方に引くと、端子カバー２０の右上方の隅部には上部レール部１３ａよりも大きな切欠き２１が形成されているため、端子カバー２０の右上方の隅部が前方に引かれる一方、端子カバー２０の左上方の隅部は上部レール部１３ｂに保持されている。そのため、他端部２７は、図７に示すように、右上方の隅部が左前下方に向けて撓む。他端部２７をさらに前方に引くと、他端部２７の撓みが増しながら、左上方の隅部が上部レール部１３ｂから外れる。すると、図８に示すように、端子カバー２０の上方左右の隅部が上部レール部１３ａ及び１３ｂから外れ、下部レール１３ｃ及び１３ｄに保持された状態にて上下方向で撓む。他端部２７をさらに前方に引くと、上下方向の撓みが増し、撓んだ端子カバー２０が元の真っ直ぐな状態に戻ろうと力が働く。このとき、一端部２６の移動が規制されているため、端子カバー２０は上方向に移動し、下部レール１３ｃ及び１３ｄから引き外される。その結果、図９に示すように、端子カバー２０は端子台１０から取り外される。
【００２５】
以上説明したように、実施形態１の端子台装置１では、端子台１０は、上部レール部１３ａ及び１３ｂ、並びに、下部レール部１３ｃ及び１３ｄとして、スライド方向に分割された一対のレール部を有し、端子カバー２０は、上部レール部１３ａよりも大きな切欠き２１を右上方の隅に有することにより、端子カバー２０と第１レール部１３ａとの係合を開放し、端子カバー２０を３点によって保持するようにした。そのため、従来技術のように、端子カバー２０を、ストッパ１６ａから外す必要もなく、上部レール部１３ａ及び１３ｂ、並びに、下部レール部１３ｃ及び１３ｄをスライドさせる必要もなく、端子カバー２０を前方向に引くだけで、端子カバー２０の３隅が上部レール部１３ｂ、下部レール部１３ｃ、及び下部レール部１３ｄからそれぞれ外れ、端子台１０から端子カバー２０を取り外すことができる。このようにして、端子台１０から端子カバー２０を容易に取り外すことができるようになる。
【００２６】
また、実施形態１の端子台装置１では、端子カバー２０を開口１２ごとに個別に備える。一列に配列された端子に対し１つの端子カバーを備える従来技術では、例えば一列に配列された端子のうちの１つの結線作業を行う際に、端子カバーを取り外さなければならなかったが、端子台装置１では、結線作業を行う端子毎に端子カバー２０を取り外すことで済むようになる。
【００２７】
実施形態２．
図１０は、本発明に係る端子台装置の実施形態２において、端子台装置１Ａの内部の端子１１に電線４０が接続された状態を示す斜視図である。図１１及び図１２は、実施形態２の端子台装置１Ａの正面図であり、図１３は、実施形態２の端子台装置１Ａを構成する端子カバー２０Ａの斜視図である。これら図１０〜１３を参照して、実施形態２の端子台装置１Ａについて説明する。なお、以下の説明において、実施形態１の端子台装置１と重複する説明は割愛する。
【００２８】
図１０〜図１３に示すように、実施形態２の端子台装置１Ａも、実施形態１の端子台装置１に準じた構造となっており、端子台１０と、端子カバー２０Ａと、固定ネジ３０と、を備えて構成されている。なお、端子台１０及び固定ネジ３０については端子台装置１と同一の構造であるため、ここでの説明を割愛する。ただし、端子台装置１Ａは、図１３に示すように、端子カバー２０Ａが、他端部２７の左右方向ほぼ中央を中心とした円弧状に形成された切欠き２３と、一対の長辺の上下方向ほぼ中央に位置した矩形状に形成された切欠き２４ａ及び２４ｂとを有する点で相違する。なお、切欠き２３が請求の範囲の第３切欠きに相当し、切欠き２４ａ及び２４ｂが請求の範囲の第２切欠きに相当する。
【００２９】
上述した実施形態１の端子台装置１では、端子１１に電線が接続される場合には、端子カバー２０を端子台１０から取り外し、端子１１に電線が接続されない場合には、端子カバー２０を端子台１０に装着することとしていた。しかしながら、端子１１に電線が接続される場合であっても、端子台１０の開口１２と電線の表面との間には隙間があることから、作業者等が誤ってその隙間に指を入れてしまうことも起こり得る。そのため、本実施形態２の端子台装置１Ａでは、端子１１に電線が接続される場合であっても、端子カバー２０が、切欠き２３、切欠き２４ａ及び２４ｂを有することで、端子カバー２０Ａを端子台１０に装着することができるようにしている。
【００３０】
以下、詳述する。図１１は、端子１１に電線が接続されない場合の状態を示しており、端子カバー２０Ａが上部レール部１３ｂ、下部レール部１３ｃ、及び下部レール部１３ｄによって３点保持された状態にて端子台１０に装着された状態を示している。一方、図１２は、端子１１に電線が接続される場合の状態を示しており、端子カバー２０Ａが、図１１の状態から１８０度回転して、上部レール部１３ａによって１点保持された状態にて端子台１０に装着された状態を示している。なお、図１２では、説明の便宜上、電線の図示を割愛している。
【００３１】
すなわち、円弧状の切欠き２３は、図１２に示された状態において、端子台１０の開口１２と電線の表面との間に生じる隙間を覆うべく、電線の外形に倣った形状である例えば円弧状等に形成されている。また、矩形状の切欠き２４ａ及び２４ｂは、図１２に示された状態、すなわち、端子カバー２０Ａが、上部レール部１３ａによって１点保持された状態において、上部レール部１３ｂのストッパ１６ｂ及び上部レール部１３ｂのストッパ１６ａにそれぞれ接触可能な位置に形成されている。
【００３２】
以上のように構成された端子台１０に端子カバー２０Ａを装着する手順について図１４及び図１５を併せ参照して説明する。図１１に示すような、端子カバー２０Ａが上部レール部１３ｂ、下部レール部１３ｃ、及び下部レール部１３ｄによって３点保持された状態にて端子台１０に装着する手順については、実施形態１と同様であるため、ここでの説明を省略する。図１０あるいは図１２に示すような、端子カバー２０Ａが、図１１の状態から１８０度回転して、上部レール部１３ａによって１点保持された状態にて端子台１０に装着する手順について説明する。
【００３３】
まず、図１４に示すように、端子カバー２０Ａのネジ孔２２に固定ネジ３０を仮止めしておき、端子カバー２０Ａを他端部２７から挿入口１８に挿入する。このとき、ストッパ１６ａ及び１６ｂが前方向に突出しているため、端子台１０の上方のわずかに前方から端子カバー２０Ａを挿入する。挿入する際、端子カバー２０Ａの他端部２７が前面部１３ａ１のテーパ及び前面部１３ｂ１のテーパ（いずれも図示略）に接触し、テーパに案内されて、端子カバー２０Ａは撓みながら上部レール部１３ａ及び１３ｂに挿入される。
【００３４】
次に、端子カバー２０Ａを上部レール部１３ａ及び１３ｂに押し込むことで下方にスライドさせる。このとき、端子カバー２０Ａの上部レール部１３ａ及び１３ｂを通過した部位は、弾性によって上下方向にほぼまっすぐな状態に復帰する。端子カバー２０Ａを上部レール部１３ａ及び１３ｂにさらに押し込むと、図１５に示すように、端子カバー２０Ａの切欠き２４ａ及び２４ｂが上部レール部１３ｂのストッパ１６ｂ及び上部レール部１３ａのストッパ１６ａにそれぞれ到達し、端子カバー２０Ａが上部レール１３ａ及び１３ｂに収容されることになる。このとき、端子カバー２０Ａは、弾性によってほぼまっすぐな状態に復帰し、位置決めされる。
【００３５】
端子カバー２０Ａが、上部レール部１３ａ及び１３ｂに収容されると、ネジ孔２２に仮止めされた固定ネジ３０の先端は、端子台１０に形成されたネジ孔１４と対向するため、図１５に示すように、固定ネジ３０を締結することにより、端子カバー２０Ａは、端子台１０に装着されることとなる。なお、便宜上、端子カバー２０Ａが上部レール部１３ａ及び１３ｂに収容されると記載したが、端子カバー２０Ａは、上部レール部１３ｂの大きさよりも大きい切欠き２１を左下方に有するため、上部レール部１３ｂによって保持されず、上部レール部１３ａによって保持される、いわゆる１点止めの状態となる。なお、本実施形態では、端子カバー２０Ａのネジ孔２２に予め固定ネジ３０を仮止めした上で端子カバー２０Ａを他端部２７から挿入口１８に挿入していたが、この手順に限らない。端子カバー２０Ａを、上部レール部１３ｂによって保持される、いわゆる１点止めの状態にしてから、固定ネジ３０を端子カバー２０Ａのネジ孔２２に挿入し端子台１０のネジ孔１４に締結してもよい。
【００３６】
次に、端子台１０に装着された端子カバー２０Ａを取り外す手順を説明する。端子台１０に装着された端子カバー２０Ａを取り外すにあっては、まず、固定ネジ３０を取り外す。固定ネジ３０を取り外した後、図１６に示すように、端子カバー２０Ａの上方向の端部である一端部２６のうち左右方向においてほぼ中央の部位を前方向に引く。なお、端子カバー２０Ａが有する弾性の大きさにもよるが、一端部２６のうち左右方向において中央よりも左側、すなわち上部レール部１３ｂ側の部位を前方向に引くことが望ましい。
【００３７】
端子カバー２０Ａの一端部２６の中央の部位が前方向に引かれると、端子カバー２０Ａの左下方の隅部は、上部レール部１３ｂよりも大きな切欠き２１が形成されているため、上部レール部１３ｂから外れ、端子カバー２０Ａは上部レール部１３ａにのみ保持された状態で斜めに傾く。端子カバー２０Ａをさらに前方向に引くと、当該端子カバー２０Ａは斜めに傾いた状態で上部レール１３ａから外れる。その結果、図１７に示すように、端子カバー２０Ａは端子台１０から取り外される。
【００３８】
以上説明したように、実施形態２の端子台装置１Ａでは、端子カバー２０Ａは、上部レール部１３ａに保持される状態でストッパ１６ａ及び１６ｂに対応する部位に当該ストッパ１６ａ及び１６ｂよりも大きな切欠き２４ｂ及び２４ａを有することにより、端子カバー２０Ａと第１レール部１３ｂとの係合を開放し、端子カバー２０Ａを１点によって保持するようにした。そのため、従来技術のように、端子カバー２０Ａを、上部レール部１３ａ及び１３ｂをスライドさせる必要もなく、前方向に引くだけで、端子台１０から端子カバー２０Ａを取り外すことができる。このようにして、端子台１０から端子カバー２０Ａを容易に取り外すことができる。
【００３９】
また、実施形態２の端子台装置１Ａでは、端子カバー２０Ａは、円弧状の切欠き２３を有することから、端子１１に電線が接続される場合であっても、端子カバー２０Ａを端子台１０に装着することができ、端子台１０の開口１２と電線との隙間を塞ぐことにより、作業者等が誤って指を入れてしまうことを防止することができる。
【００４０】
実施形態３．
図１８は、本発明に係る端子台装置の実施形態３の正面図であり、図１９は、実施形態３の端子台装置１Ｂを構成する端子カバー２０Ｂの斜視図である。これら図１８及び図１９を参照して、実施形態３の端子台装置１Ｂについて説明する。なお、以下の説明において、実施形態１の端子台装置１及び実施形態２の端子台装置１Ａと重複する説明は割愛する。
【００４１】
図１８及び図１９に示すように、実施形態３の端子台装置１Ｂも、実施形態１の端子台装置１に準じた構造となっており、端子台１０と、端子カバー２０Ｂと、固定ネジ３０と、を備えて構成されている。なお、端子台１０及び固定ネジ３０については端子台装置１と同一の構造であるため、ここでの説明を割愛する。ただし、端子台装置１Ｂは、図１９に示すように、端子カバー２０Ｂが、右上方、左上方、右下方、及び左下方の四隅のうち、右上方の隅に、切欠き２１ａを有する点、及び、下部レール部１３ｃ及び１３ｄに保持される状態で上部レール部１３ａに保持される第１係合爪２８を有する点で相違する。なお、切欠き２１ａが請求の範囲の第１切欠きに相当する。
【００４２】
以下、詳述する。図１８は、端子１１に電線が接続されない場合の状態を示しており、端子カバー２０Ｂが上部レール部１３ａ及び上部レール部１３ｂ、並びに、下部レール部１３ｃ及び下部レール部１３ｄによって４点保持された状態にて端子台１０に装着された状態を示している。端子カバー２０Ｂは、右上方、左上方、右下方、左下方の四隅のうち、右上方の隅に、切欠き２１ａを有する。当該切欠き２１ａの左右方向の長さＬ１（例えば「２．３ｍｍ」）は、実施形態１及び実施形態２と同様に、上部レール部１３ａ及び１３ｂの左右方向の長さｌ１（例えば「２．０ｍｍ」）よりも僅かに長く設定されており、切欠き２１ａの上下方向の長さＬ３（例えば「１８．５ｍｍ」）は、上部レール部１３ａ及び１３ｂの上下方向の長さｌ２（例えば「１７．０ｍｍ」）よりも長く設定されているものの、実施形態１及び実施形態２の切欠き２１の上下方向の長さＬ２（例えば「２２．０ｍｍ」）より第２係止爪２９の上下方向の長さ（例えば「３．５ｍｍ」）分だけ短く設定されている。端子カバー２０Ｂは、切欠き２１ａの上下方向の上方の位置に、左右方向に突出する第１係止爪２８を有する。当該第１係止爪２８は、端子カバー２０Ｂが上部レール部１３ａ及び上部レール部１３ｂ、並びに、下部レール部１３ｃ及び１３ｄに４点保持された状態で、上部レール部１３ａに接触することで、端子カバー２０Ｂの前後方向への抜け止めとして機能する。ただし、弾性を有していることから、端子カバー２０Ｂを端子台１０から取り外す際にその作業性には影響することはない。また、第２係止爪２９は、端子カバー２０Ｂが上部レール部１３ａ及び上部レール部１３ｂ、並びに下部レール部１３ｃ及び１３ｄに４点保持された状態で、ストッパ１６ａに当接することで、端子カバー２０Ｂの上下方向への抜け止めとして機能する。
【００４３】
以上のように構成された端子台１０に端子カバー２０Ｂを装着する手順は、第１実施形態の装着手順と同様であるため、ここでの重複する説明を割愛する。ただし、上述したように、端子カバー２０Ｂの第１係止爪２８は、端子カバー２０Ｂが上部レール部１３ａ及び上部レール部１３ｂ、並びに下部レール部１３ｃ及び１３ｄに４点保持された状態で、上部レール部１３ａに接触することで、端子カバー２０Ｂの前後方向への抜け止めとして機能する。また、第２係止爪２９は、端子カバー２０Ｂが上部レール部１３ａ及び上部レール部１３ｂ、並びに下部レール部１３ｃ及び１３ｄに４点保持された状態で、ストッパ１６ａに当接することで、端子カバー２０Ｂの上下方向への抜け止めとして機能する。そのため、第１実施形態の端子台装置１よりも確実に、端子カバー２０Ｂを端子台１０に装着することができる。
【００４４】
また、端子台１０に装着された端子カバー２０Ｂを取り外す手順も、第１実施形態の取外手順と同様であるため、ここでの重複する説明を割愛する。ただし、上述したように、端子カバー２０Ｂの第１係止爪２８は、弾性を有していることから、端子カバー２０Ｂを端子台１０から取り外す際にその作業性には影響することはない。そのため、第１実施形態の端子台装置１と同様に、端子台１０から端子カバー２０Ｂを容易に取り外すことができる。
【００４５】
以上の実施形態１〜３に示した構成は、本発明の内容の一例を示すものであり、別の公知の技術と組み合わせることも可能であるし、本発明の要旨を逸脱しない範囲で、構成の一部を省略、変更することも可能である。
【００４６】
具体的には、実施形態１〜３では、端子台装置１〜１Ｂは、固定ネジ３０を備え、端子台１０は、ネジ孔１４を有し、端子カバー２０〜２０Ａは、ネジ孔２２を有し、固定ネジ３０をネジ孔１４及び２２に締結することにより、端子カバー２０〜２０Ａを端子台１０に装着していたが、この固定ネジ３０の締結については割愛してもよい。すなわち、固定ネジ３０、ネジ孔１４及び２２、ネジ孔２０〜２０Ａについては割愛してもよい。また、上記実施形態１〜３では、端子台装置１〜１Ｂは、端子台１０の開口１２の上下方向の長さに対する、上部レール部１３ａ及び下部レール部１３ｃの上下方向の長さの第１比率がおよそ「０．４」となるように構成するとともに、上部レール部１３ａ（詳しくは前面部１３ａ１）の上下方向の長さに対する、下部レール部１３ｃ（詳しくは前面部１３ａ１の上端から底部１３ｃの上端まで）の長さの第２比率がおよそ「２．１」となるように構成することにより、端子台１０から端子カバー２０〜２０Ｂを容易に取り外すことができるが、第１比率「０．４」および第２比率「２．１」には限らない。端子カバー２０〜２０Ｂの形成材質にもよるが、例えば第１比率が「０．３０」から「０．８０」までの範囲であり、第２比率が「０．３０」から「１.０」までの範囲であれば、同様の効果を奏することができる。また、実施形態１〜３では、端子カバー２０〜２０Ｂは、右上方、左上方、右下方、左下方の四隅のうち、右上方の隅に、切欠き２１、２１ａを１つ有することとしたが、切欠き２１、２１ｂを、右上方の隅ではなく、他の三隅のいずれか１つに形成することとしてもよい。また、切欠き２１、２１ａを形成する数も１か所には限られず、四隅のうちの２か所あるいは３か所に形成することとしてもよい。また、上記実施形態１〜３では、一対のレール部の両方が、上部レール部１３ａ及び下部レール部１３ｃ、並びに、上部レール部１３ｂ及び下部レール部１３ｄのように、端子カバー２０〜２０Ｂのスライド方向に沿って分割されていたが、この構成に限らず、一対のレール部の少なくとも一方が、上部レール部及び下部レール部として端子カバーのスライド方向に沿って分割されていればよい。要は、カバーが第２レール部に保持される状態で、第１レール部に対応する部位に、第１切欠きを有することにより、カバーと第１レール部との係合を開放するようにすれば、所期の目的を達成することはできる。また、実施形態１〜３では、上部レール部１３ａ及び１３ｂにそれぞれストッパ１６ａ及び１６ｂがそれぞれ形成されていたが、このストッパ１６ａ及び１６ｂを形成しなくてもよい。実施形態１〜３では、インバータ装置に適用されていたが、他に例えば、中継装置、分岐装置、配電盤、制御装置等、他の電気装置に適用してもよく、適用先は限定されない。
【符号の説明】
【００４７】
１，１Ａ，１Ｂ  端子台装置、１０  端子台、１１  端子、１２  開口、１３ａ，１３ｂ  上部レール部、１３ｃ，１３ｄ  下部レール部、１３ａ１，１３ｂ１，１３ｃ１  前面部、１３ａ２，１３ｃ２  背面部、１３ｃ３  底部、１４  ネジ孔、１５ａ  テーパ、１６ａ，１６ｂ  ストッパ、１７ｃ  テーパ、１８，１９  挿入口、２０，２０Ａ，２０Ｂ  端子カバー、２１  切欠き（第１切欠き）、２２  ネジ孔、２３  切欠き（第３切欠き）、２４ａ，２４ｂ  切欠き（第２切欠き）、２６  一端部、２７  他端部、２８  第１係合爪、２９  第２係合爪、３０  固定ネジ、４０  電線。
【図１】
2019239506.tif 000003
【図２】
2019239506.tif 000004
【図３】
2019239506.tif 000005
【図４】
2019239506.tif 000006
【図５】
2019239506.tif 000007
【図６】
2019239506.tif 000008
【図７】
2019239506.tif 000009
【図８】
2019239506.tif 000010
【図９】
2019239506.tif 000011
【図１０】
2019239506.tif 000012
【図１１】
2019239506.tif 000013
【図１２】
2019239506.tif 000014
【図１３】
2019239506.tif 000015
【図１４】
2019239506.tif 000016
【図１５】
2019239506.tif 000017
【図１６】
2019239506.tif 000018
【図１７】
2019239506.tif 000019
【図１８】
2019239506.tif 000020
【図１９】
2019239506.tif 000021
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
内部へ電線の挿入を許容する開口を覆うカバーをスライド自在に保持する一対のレール部を有する端子台と、前記カバーと、を備え、
前記一対のレール部は、それぞれ、第１レール部及び第２レール部として前記カバーのスライド方向に沿って分割されており、
前記カバーは、当該カバーが前記第２レール部の双方に保持される状態で、前記第１レール部の一方と係合し、前記第１レール部の他方に対応する部位に、第１切欠きを有することで前記第１レール部の他方との係合を開放する
ことを特徴とする端子台装置。
【請求項２】
内部へ電線の挿入を許容する開口を覆うカバーをスライド自在に保持する一対のレール部を有する端子台と、前記カバーと、を備え、
前記一対のレール部は、少なくとも一方が第１レール部及び第２レール部として前記カバーのスライド方向に沿って分割されており、
前記第１レール部は、前記カバーが前記第２レール部に保持される状態から抜け出ることを防止するストッパを有しており、
前記カバーは、当該カバーが前記第２レール部に保持される状態で、前記第１レール部に対応する部位に、第１切欠きを有することで前記第１レール部との係合を開放するとともに、当該カバーが前記第１レール部によって保持される状態で、前記ストッパに対応する部位に、第２切欠きを有することで位置決めされる
ことを特徴とする端子台装置。
【請求項３】
内部へ電線の挿入を許容する開口を覆うカバーをスライド自在に保持する一対のレール部を有する端子台と、前記カバーと、を備え、
前記一対のレール部は、少なくとも一方が第１レール部及び第２レール部として前記カバーのスライド方向に沿って分割されており、
前記カバーは、当該カバーが前記第２レール部に保持される状態で、前記第１レール部に対応する部位に、第１切欠きを有することで前記第１レール部との係合を開放するとともに、前記第１レール部に保持される第一係止爪を前記第１切欠きに有する
ことを特徴とする端子台装置。
【請求項４】
前記端子台は、前記カバーの表面に垂直な方向からの前記電線の内部への挿入を許容する前記開口を備える
請求項１〜３のいずれか一項に記載の端子台装置。
【請求項５】
前記開口の前記スライド方向の長さに対する前記第１レール部の前記スライド方向の長さ及び前記第２レール部の前記スライド方向の長さを加えた長さの第１比率が「０．３０」〜「０．８０」に設定されている
請求項１〜４のいずれか一項に記載の端子台装置。
【請求項６】
前記第１レール部の前記スライド方向の長さに対する前記第２レール部の前記スライド方向の長さの第２比率が「０．３０」〜「１．００」に設定されている
請求項４に記載の端子台装置。
【請求項７】
前記カバーは、円弧状の第３切欠きを有することで前記電線の前記内部への挿入を許容する
請求項１〜６のいずれか一項に記載の端子台装置。
【手続補正２】
【補正対象書類名】明細書
【補正対象項目名】０００７
【補正方法】変更
【補正の内容】
【０００７】
上述した課題を解決し、目的を達成するために、本発明の記載の端子台装置は、  内部へ電線の挿入を許容する開口を覆うカバーをスライド自在に保持する一対のレール部を有する端子台と、カバーと、を備え、一対のレール部は、それぞれ、第１レール部及び第２レール部としてカバーのスライド方向に沿って分割されており、カバーは、当該カバーが第２レール部の双方に保持される状態で、第1レール部の一方と係合し、第1レール部の他方に対応する部位に、第１切欠きを有することで第１レール部の他方との係合を開放することとした。
【手続補正３】
【補正対象書類名】明細書
【補正対象項目名】０００８
【補正方法】変更
【補正の内容】
【０００８】
本発明によれば、カバーは、当該カバーが第２レール部の双方に保持される状態で、第１レール部の一方と係合し、第１レール部の他方に対応する部位に、第１切欠きを有することで第１レール部の他方との係合が開放されているため、カバーをスライドさせなくても端子台から取り外すことができるようになり、カバーを容易に外すことができる。
【国際調査報告】
2019239506.tif 000022
2019239506.tif 000023
2019239506.tif 000024
2019239506.tif 000025